(57)【要約】  装置（２２）はエレベータシステムの電源変動を管理する。この装置は一次側（６２）と二次側（６４）とを有する変圧器（６０）を含む。エレベータシステムの入力側が二次側（６４）に接続される。タップスイッチ（６６ａ，６６ｂ，６６ｃ，６６ｄ）が変圧器（６０）に接続され、各々のタップスイッチが変圧器（６０）のタップポイント（６８ａ，６８ｂ，６８ｃ，６８ｄ）に連結される。制御装置（５４）は検知された電源の出力に基づいてタップスイッチ（６６ａ，６６ｂ，６６ｃ，６６ｄ）を作動させ、二次側（６４）にエレベータシステムの許容帯域内の電力を供給する。
2010502533.tif 000002
【特許請求の範囲】
【請求項１】
一次側と、二次側と、を含み、前記エレベータシステムの入力が前記二次側に接続される変圧器と、
前記変圧器に接続されるとともに、その各々が前記変圧器における複数のタップポイントのうちの一つに接続される複数のタップスイッチと、
検知した電源出力に基づいて前記タップスイッチを作動させて、前記二次側に前記エレベータシステムの許容帯域内の電力を供給する制御装置と、
を備えたエレベータシステムの電源変動を管理する装置。
【請求項２】
前記制御装置は、前記電源の電圧を検知してこの検知した電圧に関する信号を制御装置に送る電圧センサを備えることを特徴とする請求項１に記載の装置。
【請求項３】
前記制御装置は、前記検知した電源出力と予測電源出力との比較に基づいて前記タップスイッチを作動させることを特徴とする請求項１に記載の装置。
【請求項４】
前記制御装置が前記一次側に過電流状態を検知した場合に、前記エレベータシステムを前記二次側から切断する過電流保護回路をさらに備えることを特徴とする請求項１に記載の装置。
【請求項５】
前記タップスイッチが、リレーと、電界効果トランジスタと、絶縁ゲートバイポーラトランジスタと、ゲートターンオフサイリスタと、集積ゲート整流サイリスタと、トライアックと、シリコン制御整流器と、バイポーラトランジスタと、よりなるグループから選択される装置を備えることを特徴とする請求項１に記載の装置。
【請求項６】
前記二次側が、複数の巻線を備えることを特徴とする請求項１に記載の装置。
【請求項７】
前記装置における過渡電圧を抑制するように前記二次側に連結された過渡フィルタをさらに備えることを特徴とする請求項１に記載の装置。
【請求項８】
エレベータシステムに調整電力を供給するように電源変動を管理する方法であって、
電源電圧を監視し、
前記電源電圧が、エレベータシステムの許容帯域内にあるかどうかを測定し、
前記許容帯域からの前記電源電圧の変動に応答して、前記エレベータシステムに供給される電圧を調整することを備えた方法。
【請求項９】
前記電源電圧がエレベータシステムの許容帯域内にあるかどうかを測定するステップが、前記監視された電源電圧を予測電源電圧と比較することを備えた請求項８に記載の方法。
【請求項１０】
前記エレベータシステムに供給される電圧を調整するステップが、前記電源電圧を前記予測電源電圧の許容帯域内に調整することを備えた請求項９に記載の方法。
【請求項１１】
前記エレベータシステムに供給される電圧を調整するステップが、前記電源電圧の変動の関数として、変圧器の一次側の巻線の、二次側の巻線に対する比率の選択を行うことを特徴とする請求項８に記載の方法。
【請求項１２】
前記電源が変圧器の一次側の巻線に接続されるとともに、前記エレベータが変圧器の二次側の巻線に接続され、かつ前記エレベータシステムに供給される電圧を調整するステップが、
前記二次側の巻線に供給される出力電圧が前記許容帯域内となるように、前記変圧器の一次側の巻線に対する前記電源の接続を調整することを備えた請求項８に記載の方法。
【請求項１３】
前記変圧器の一次側の巻線に対する前記電源の接続を調整することが、前記電源と前記変圧器の一次側巻線との間に接続された複数のタップスイッチを制御することを備え、各々のタップスイッチは、前記変圧器の一次側巻線における複数のタップポイントのうちの一つに接続されていることを特徴とする請求項１２に記載の方法。
【請求項１４】
電源電流を監視し、
前記電流が閾値電流を超えた場合に、前記エレベータシステムを前記変圧器の二次側巻線から切断することをさらに備えることを特徴とする請求項８に記載の方法。
【請求項１５】
電源と、
一次側および二次側を含む変圧器と、
各々が前記変圧器における複数のタップポイントのうちの一つと連結した、複数のタップスイッチと、
検知された電源出力に基づいて前記タップスイッチを作動させて、前記二次側に負荷の許容範囲内の電力を供給する制御装置と、
を備えたエレベータ電力系統。
【請求項１６】
前記制御装置は、前記電源の電圧を検知してこの検知した電圧に関する信号を制御装置に送る電圧センサを備えることを特徴とする請求項１５に記載のエレベータ電力系統。
【請求項１７】
前記制御装置が、前記検知した電源出力と予測電源出力との比較に基づいて前記タップスイッチを作動させることを特徴とする請求項１５に記載のエレベータ電力系統。
【請求項１８】
前記制御装置が前記一次側に過電流状態を検知した場合に、前記負荷を前記二次側から切断する過電流保護回路をさらに備えることを特徴とする請求項１５に記載のエレベータ電力系統。
【請求項１９】
前記タップスイッチが、リレーと、電界効果トランジスタと、絶縁ゲートバイポーラトランジスタと、ゲートターンオフサイリスタと、集積ゲート整流サイリスタと、トライアックと、シリコン制御整流器と、バイポーラトランジスタと、よりなるグループから選択される装置を備えることを特徴とする請求項１５に記載のエレベータ電力系統。
【請求項２０】
前記二次側が、複数の巻線を備えることを特徴とする請求項１５に記載のエレベータ電力系統。
【請求項２１】
前記負荷が、エレベータホイストモータであることを特徴とする請求項１５に記載のエレベータ電力系統。
【発明の詳細な説明】
【技術分野】
【０００１】
本発明は電力系統の分野に関する。特に本発明は、エレベータシステムの電源特性の変動を管理する装置に関する。
【背景技術】
【０００２】
エレベータ駆動システムは一般的に電源からの特定の入力電圧の範囲に亘って作動するように設計されている。駆動装置のコンポーネントは、電源が所定の入力電圧の範囲内にある間は駆動装置を継続的に作動させる定格電圧および定格電流を有する。しかしながら、ある市場においては公共ネットワークの信頼性が低く、永続的な公共電力の瞬時性電圧低下や電力使用制限状態（すなわち、駆動装置の許容帯域を下回る電圧の状態）および／または過電圧状態が一般化している。こうした電力系統の電圧レベルの変動は総称して電圧特性に関する事故（ｐｏｗｅｒ  ｑｕａｌｉｔｙ  ｅｖｅｎｔ）として知られる。公共電力に瞬時性電圧低下が発生した場合には、駆動装置はホイストモータへの一定の電力供給を維持するように電源からより多くの電流を引き込む。
【発明の概要】
【発明が解決しようとする課題】
【０００３】
従来のシステムでは、電源から過剰の電流が引き込まれると、駆動装置はそのコンポーネントの損傷を避けるためにシャットダウンする。さらに、過電圧状態が発生すると、エレベータシステムのコンポーネントがその電圧許容帯域を上回って駆動されたときに損傷を受けうる。これによりコンポーネントの劣化や故障が生じる可能性があり、結果として損傷を受けたコンポーネントを修理もしくは交換する必要がある。
【課題を解決するための手段】
【０００４】
本発明は、エレベータシステムにおける電源変動を管理する装置を対象とする。この装置は一次側および二次側を有する変圧器を含む。エレベータシステムの入力側は二次側に接続される。複数のタップスイッチが変圧器に接続されており、各々のタップスイッチは変圧器のタップポイントに接続される。制御装置は検知した電源の出力に基づいてタップスイッチを作動させて、二次側にエレベータシステムの許容帯域内の電力を供給する。
【図面の簡単な説明】
【０００５】
【図１】エレベータのホイストモータを駆動する電力系統の概略図。
【図２】エレベータシステムの電源変動を管理する装置の概略図。
【発明を実施するための形態】
【０００６】
図１はエレベータ１４のホイストモータ１２を駆動する電力系統１０の概略図であり、電源２０と、電力調整器２２、パワーコンバータ２４、パワーバス２６、平滑コンデンサ２８、およびパワーインバータ３０を含むエレベータ駆動システムと、を備える。電源２０は、商用電源等の公共電力からの供給電力である。エレベータ１４は、ローピング３６を介してホイストモータ１２に連結されたエレベータかご３２およびカウンタウェイト３４を含む。また電力系統１０は、エレベータ補助装置および制御装置に電力を供給するフィルタ３８と、変圧器４０と、交流−直流変換器４２と、を含む。
【０００７】
この明細書中で以下に説明するとおり、電力系統１０は、駆動ホイストモータ１２に調整した電力を供給すべく電源２０からの電圧変動を管理するように配置されている。例えば、ある市場においては公共ネットワークの信頼性が低く、永続的な公共電力の瞬時性電圧低下や電力使用制限状態（すなわち、駆動装置の許容帯域を下回る電圧の状態）が一般化している。本発明の電力系統１０により、こうした不規則な状態においてもホイストモータ１２を通常運転状態で連続的に作動させることができる。以下の記載はエレベータのホイストモータの駆動を対象とするが、当然のことながら電力調整器２２はあらゆる種類の負荷に調整電力を供給するように用いられる。
【０００８】
パワーコンバータ２４とパワーインバータ３０はパワーバス２６によって接続される。平滑コンデンサ２８がパワーバス２６を渡して接続される。電源２０は電力調整器２２に電力を供給し、ここで電源２０の変動を管理する。電力調整器２２の動作については図２で詳しく述べる。電力調整器２２はパワーコンバータ２４に調整電力を供給する。パワーコンバータ２４は電源２０からの三相交流を直流電力に変換するように動作可能な三相変換装置でもよい。一つの実施例では、パワーコンバータ２４は並列接続されたトランジスタとダイオードを含む複数のトランジスタ回路を備える。パワーバス２６にはパワーコンバータ２４により直流出力電力が供給される。平滑コンデンサ２８は、パワーコンバータ２４により直流パワーバス２６に供給される整流電力を平滑化する。またパワーコンバータ２４は電源２０へと戻るパワーバス２６上の電力を変換するように動作可能である。このような再生式の構成により電源２０の需要を低減する。留意すべき点は、ここで電源２０を三相交流電源として示したが、電力系統１０は、（これに限定しないが）単相交流電源、直流電源を含むあらゆる種類の電源から電力供給を受けるように適応される。
【０００９】
パワーインバータ３０は、パワーバス２６からの直流電力を三相交流に変換するように動作可能な三相逆変換装置である。パワーインバータ３０は並列接続されたトランジスタとダイオードを含む複数のパワートランジスタ回路を備える。パワーインバータ３０はその出力でホイストモータ１２に三相電力を供給する。さらにパワーインバータ３０は、エレベータ１４がホイストモータ１２を駆動する際に発生する電力を整流するように動作可能である。例えば、ホイストモータ１２が電力を発生する場合には、パワーインバータ３０はその発生した電力を変換してパワーバス２６に供給する。平滑コンデンサ２８は、パワーインバータ３０によりパワーバス２６に供給されたその変換電力を平滑化する。別の実施例では、パワーインバータ３０は、パワーバス２６からの直流電力をホイストモータ１２へ供給するための単相交流電力に変換するように動作可能な単相逆変換装置である。
【００１０】
ホイストモータ１２はエレベータかご３２およびカウンタウェイト３４の移動の速度および移動の向きを制御する。ホイストモータ１２の駆動に要求される電力はエレベータかご３２の荷重のみならずエレベータ１４の加速度や向きによって異なる。例えば、エレベータかご３２が加速する場合に、カウンタウェイト３４の荷重よりも大きい負荷（すなわち、重荷重）で上昇、もしくはカウンタウェイト３４の荷重よりも小さい負荷（すなわち、軽荷重）で下降する場合、ホイストモータ１２の駆動には最大量の電力が必要となる。エレベータ１４が釣合い荷重とともに固定された速度でレベリングもしくは運転する場合、より小さい量の電力が用いられる。エレベータかご３２が減速する場合に、重荷重で下降する場合、もしくは軽荷重で上昇する場合、エレベータかご３２がホイストモータ１２を駆動する。このような場合、ホイストモータ１２は電力を発生し、この電力はパワーインバータ３０によって直流電力に変換される。変換された直流電力は電源２０に戻されてもよく、かつ／またはパワーバス２６に渡して接続されたダイナミックブレーキの抵抗器（図示せず）で損失されてもよい。
【００１１】
留意すべきは、電力系統１０には単一のホイストモータ１２が接続するように示されているが、電力系統１０は複数のホイストモータ１２に動力を供給するように変更されてもよい。例えば、複数のホイストモータ１２に動力を供給するように複数のパワーインバータ３０をパワーバス２６に渡して並列に接続してもよい。別の例として、複数の駆動システム（コンバータ２４、パワーバス２６、平滑コンデンサ２８、インバータ３０を含む）が電力調整器２２に並列に接続されて各々の駆動システムがホイストモータ１２に電力を供給する。
【００１２】
また電力系統１０は、補助装置（例えば、エレベータかご３２の機械ファン、照明およびアウトレット、および安全チェーン）や制御装置（例えば、エレベータシステム制御盤、エレベータ位置表示システム、および乗員識別システム）など、その他の電気系統に電力を供給する。補助装置は過渡フィルタ３８および変圧器４０を介して電力調整器２２に接続される。変圧器４０は電力調整器２２から降圧した電力を補助装置に供給する。制御装置のコンポーネントは直流電力を用いるため、制御装置は過渡フィルタ３８および交流−直流交換器４２を介して電力調整器２２に接続される。別の実施例では、ホイストモータ駆動システムが電源２０における変動を統御するように配置されており、変圧器４０の代わりに電力調整器２２が補助装置に電力を供給する。さらに別の実施例では、ホイストモータ駆動システムが電源２０における変動を統御するように配置されており、電力調整器２２がフィルタ３８の後に接続されて変圧器４０および交流−直流交換器４２に調整された電流を供給する。
【００１３】
図２は、電源２０の変動を管理する電力調整器２２の概略図である。特に、電源２０が電力調整器２２に対し、エレベータシステムの許容帯域（例えば、通常動作電圧の１０％以内）を超えた電圧を加えた場合、電力調整器２２は電圧を調整してエレベータシステムに許容帯域内の電圧を供給する。電力調整器２２は、電流センサ５０と、電圧センサ５２と、ドライブコントロール５４と、一次側６２および二次側６４を含む変圧器６０と、タップスイッチ６６ａ，６６ｂ，６６ｃ，６６ｄと、タップポイント６８ａ，６８ｂ，６８ｃ，６８ｄと、過渡フィルタ７０と、バイパススイッチ７２，７４とを含む。図を簡単にするために、電力調整器２２が三相電源２０のうちの単相を調整するように示す。残りの相の各々が同様の装置に接続されて、電源２０の三相全ての調整を行う。
【００１４】
タップスイッチ６６ａ−６６ｄと接地との間に電源２０が接続される。電圧センサ５２が電源２０の両端の電圧を検知するように接続され、電流センサ５０が電源２０からの電流を検知するように接続される。電流センサ５０および電圧センサ５２はドライブコントロール５２に信号を送る。ドライブコントロール５４は、タップスイッチ６６ａ−６６ｄならびにバイパススイッチ７２，７４に信号を送る。タップスイッチ６６ａ，６６ｂ，６６ｃ，６６ｄはそれぞれ一次側６２のタップポイント６８ａ，６８ｂ，６８ｃ，６８ｄに接続されている。過渡フィルタ７０がバイパススイッチ７２と接地との間に接続される。図示の実施例では、二次側６４は、負荷（すなわち、エレベータ電力系統１０）が接続された一重巻線を含む。しかしながら、二次側６４は多重巻線を含んでもよく、電力調整器２２が複数のシステムに調整電力を供給するようにその多重巻線の各々に異なる負荷を接続することが可能である。
【００１５】
電圧センサ５２は電源２０の両端の電圧を監視しており、検知された電圧に関する信号をドライブコントロール５４に送る。一つの実施例では、電圧センサ５２は電源２０の両端の電圧をその半周期毎に検知する。ドライブコントロール５４は電圧センサ５２によって検知された電圧を保存された予測電圧と比較し、タップスイッチ６６ａ−６６ｄを作動させて二次側６４の電圧を調整する。特に電源２０の両端の電圧が正常すなわちエレベータシステムの許容帯域内であれば、ドライブコントロール５４は電源２０からの電圧の昇降をもたらさないタップスイッチを閉じる。例えば変圧器６０は、タップスイッチ６６ｂを閉じることにより電源２０からの電圧を二次側に供給するように配置される。従って、電源２０が正常状態で作動する際、ドライブコントロール５４はタップスイッチ６６ｂを閉じてタップスイッチ６６ａ，６６ｃ，６６ｄを開き、電源２０をタップポイント６８ｂと一次側６２の接地との間に接続させる。これにより電源２０からの電圧は二次側に対して昇降されずに負荷に供給される。
【００１６】
電源２０がエレベータシステムの許容帯域外で作動していることを示す電圧センサ５２からの信号をドライブコントロール５４が受け取った場合、ドライブコントロール５４はタップスイッチ６６ａ−６６ｄを作動させて、負荷に供給する電圧を許容帯域内に調整する。二次側６４の負荷に供給される電圧が調整される前の一定期間、電圧が許容帯域から外れることがドライブコントロール５４にとって必要である。例えば、電圧センサ５２からの信号が過電圧状態である（すなわち、電源２０の両端の電圧がエレベータシステムの許容帯域を上回る）ことを示すと、ドライブコントロール５４はタップスイッチ６６ａ−６６ｄを制御して電源２０の両端が接続される一次側６２の巻数を減らし、二次側６４に誘導される電圧を降圧させる。上記の例では、ドライブコントロール５４はタップスイッチ６６ｂ（正常運転時は閉じている）を開いてタップスイッチ６６ａを閉じ、電源２０をタップポイント６８ａと接地との間に接続する。これにより電源２０の両端が接続される一次側６２の巻数が減少し、その結果、エレベータシステムに供給される電圧が低下する。電源２０の両端の電圧が変化して、エレベータシステムに対し許容帯域内の電圧を供給するようにタップスイッチ６６ａ−６６ｄを再び制御する必要が生じるまでは、ドライブコントロール５４はタップスイッチをその設定に維持する。
【００１７】
電圧センサ５２からの信号が不足電圧状態である（すなわち、電源２０の両端の電圧がエレベータシステムの許容帯域を下回る）ことを示すと、ドライブコントロール５４はタップスイッチ６６ａ−６６ｄを制御して電源２０の両端が接続される一次側６２の巻数を増やし、二次側６４の電圧を昇圧させる。上記の例では、ドライブコントロール５４はタップスイッチ６６ｂ（正常運転時は閉じている）を開いてタップスイッチ６６ｃもしくは６６ｄのいずれかを閉じ、電源２０をタップポイント６８ｃもしくは６８ｄと接地との間に接続する。これにより電源２０の両端が接続される一次側６２の巻数が増加し、その結果、エレベータシステムに供給される電圧が上昇する。ドライブコントロール５４は、電源２０の両端の電圧が許容帯域未満に下降する量に基づいてタップスイッチ６６ｃもしくは６６ｄのどちらを閉じるかを決定する。特に、電源２０が許容帯域以下に下がるほど、電源２０の両端が接続される一次側の巻数が増加する。電源２０の両端の電圧が変化して、エレベータシステムに対し許容帯域内の電圧を供給するようにタップスイッチ６６ａ−６６ｄを再び制御する必要が生じるまでは、ドライブコントロール５４はタップスイッチをその設定に維持する。
【００１８】
電力調整器２２が、一重巻線の一次側６２と一重巻線の二次側６４とを備えた変圧器６０を含むように示したが、この構成の変形例が本発明に逸脱することなく用いられうる。例えば、一次側６２および二次側６４は任意の巻数を含み、より多くのレベルの電圧調整が行えるように一次側６２および／または二次側６４に沿って任意の数のタップポイントにタップスイッチを接続してもよい。さらに、変圧器６０は一次側と二次側とを有する一重巻線を含んだ単巻変圧器の構成を備えてもよく、電源２０は一次側に接続され、タップスイッチは単巻変圧器の二次側に沿って接続される。
【００１９】
さらに電力調整器２２はバイパス保安装置を含み、電力調整器２２に永続的な故障が発生した場合に負荷を変圧器６０から切断してこれを直接電源２０に接続させる。例えば、図２の実施例では、バイパススイッチ７２および７４が、それぞれ負荷と接地との間および二次側６４と負荷との間に接続される。バイパススイッチ７２，７４は、電流センサ５０から受信した信号に基づきドライブコントロール５４によって制御される。電流センサ５０は電源２０から一次側６２を通る電流を測定する。正常運転条件下では、ドライブコントロール５４は（信号経路Ｂ経由で）バイパススイッチ７２を開き、（信号経路Ａ経由で）バイパススイッチ７４を閉じて、変圧器６０を通る電源２０の電力調整を行う。電流センサ５０がドライブコントロール５４に対し、過電流状態（すなわち、電流が負荷の許容帯域を超える状態）が存在し、電力調整器２２が正常に作動しないことを示す信号を送信した場合、ドライブコントロール５４はバイパススイッチ７４を開きバイパススイッチ７２を閉じる信号を送り、負荷を直接電源２０に接続して負荷を過電流障害から防ぐ。一つの実施例では、プログラムされた限界時間、過電流状態にある場合に、ドライブコントロール５４はバイパススイッチ７４を開く。ＲＬＣフィルタもしくは避雷器でもよい過渡フィルタ７０は、電源２０により発生する過渡電流を吸収する。（電流センサ５０によって検知される）一次側６２を通る電流が正常に戻った後、ドライブコントロール５４はバイパススイッチ７２を開きバイパススイッチ７４を閉じる信号を送る。
【００２０】
要約すれば、本発明は、エレベータシステムにおける電源変動を管理する装置を対象とする。この装置は一次側および二次側を有する変圧器を含む。エレベータの入力側が二次側に接続される。複数のタップスイッチが変圧器に接続され、各々のタップスイッチが変圧器のタップポイントに連結される。制御装置は検知された電源の出力に基づいてタップスイッチを作動させ、二次側にエレベータシステムの許容帯域内の電力を供給する。エレベータシステムに調整電力を供給することにより、電源からの過電圧状態や不足電圧状態が修正され、これによりエレベータシステムの電気部品への費用のかかるダメージを防ぐ。
【００２１】
本発明の最良の実施例を説明したが、当業者には種々の修正が本発明の真意および範囲を逸脱することなく考案されうることが理解できるであろう。
【図１】
2010502533.tif 000003
【図２】
2010502533.tif 000004
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
一次側と、二次側と、を含み、前記エレベータシステムの入力が前記二次側に接続される変圧器と、
前記変圧器に接続されるとともに、その各々が前記変圧器における複数のタップポイントのうちの一つに接続される複数のタップスイッチと、
検知した電源出力に基づいて前記タップスイッチを作動させて、前記二次側に前記エレベータシステムの許容帯域内の電力を供給する制御装置と、
を備えたエレベータシステムの電源変動を管理する装置。
【請求項２】
前記制御装置は、前記電源の電圧を検知してこの検知した電圧に関する信号を制御装置に送る電圧センサを備えることを特徴とする請求項１に記載の装置。
【請求項３】
前記制御装置は、前記検知した電源出力と予測電源出力との比較に基づいて前記タップスイッチを作動させることを特徴とする請求項１に記載の装置。
【請求項４】
前記制御装置が前記一次側に過電流状態を検知した場合に、前記エレベータシステムを前記二次側から切断する過電流保護回路をさらに備えることを特徴とする請求項１に記載の装置。
【請求項５】
前記タップスイッチが、リレーと、電界効果トランジスタと、絶縁ゲートバイポーラトランジスタと、ゲートターンオフサイリスタと、集積ゲート整流サイリスタと、トライアックと、シリコン制御整流器と、バイポーラトランジスタと、よりなるグループから選択される装置を備えることを特徴とする請求項１に記載の装置。
【請求項６】
前記二次側が、複数の巻線を備えることを特徴とする請求項１に記載の装置。
【請求項７】
前記装置における過渡電圧を抑制するように前記二次側に連結された過渡フィルタをさらに備えることを特徴とする請求項１に記載の装置。
【請求項８】
エレベータシステムに調整電力を供給するように電源変動を管理する方法であって、
電源電圧を監視し、
前記電源電圧が、エレベータシステムの許容帯域内にあるかどうかを測定し、
前記許容帯域からの前記電源電圧の変動に応答して、前記エレベータシステムに供給される電圧を調整するように、前記電源電圧の変動の関数として、変圧器の一次側の巻線の二次側の巻線に対する比率を選択することを備えた方法。
【請求項９】
前記電源電圧がエレベータシステムの許容帯域内にあるかどうかを測定するステップが、前記監視された電源電圧を予測電源電圧と比較することを備えた請求項８に記載の方法。
【請求項１０】
前記電源が変圧器の一次側の巻線に接続されるとともに、前記エレベータが変圧器の二次側の巻線に接続され、前記電源電圧の変動の関数として、変圧器の一次側の巻線の二次側の巻線に対する比率を選択するステップが、
前記二次側の巻線に供給される出力電圧が前記許容帯域内となるように、前記変圧器の一次側の巻線に対する前記電源の接続を調整することを備えた請求項８に記載の方法。
【請求項１１】
前記変圧器の一次側の巻線に対する前記電源の接続を調整することが、前記電源と前記変圧器の一次側巻線との間に接続された複数のタップスイッチを制御することを備え、各々のタップスイッチは、前記変圧器の一次側巻線における複数のタップポイントのうちの一つに接続されていることを特徴とする請求項１０に記載の方法。
【請求項１２】
電源電流を監視し、
前記電流が閾値電流を超えた場合に、前記エレベータシステムを前記変圧器の二次側巻線から切断することをさらに備えることを特徴とする請求項８に記載の方法。
【請求項１３】
電源と、
一次側および二次側を含む変圧器と、
各々が前記変圧器における複数のタップポイントのうちの一つと連結した、複数のタップスイッチと、
検知された電源出力に基づいて前記タップスイッチを作動させて、前記二次側に負荷の許容範囲内の電力を供給する制御装置と、
を備えたエレベータ電力系統。
【請求項１４】
前記制御装置は、前記電源の電圧を検知してこの検知した電圧に関する信号を制御装置に送る電圧センサを備えることを特徴とする請求項１３に記載のエレベータ電力系統。
【請求項１５】
前記制御装置が、前記検知した電源出力と予測電源出力との比較に基づいて前記タップスイッチを作動させることを特徴とする請求項１３に記載のエレベータ電力系統。
【請求項１６】
前記制御装置が前記一次側に過電流状態を検知した場合に、前記負荷を前記二次側から切断する過電流保護回路をさらに備えることを特徴とする請求項１３に記載のエレベータ電力系統。
【請求項１７】
前記タップスイッチが、リレーと、電界効果トランジスタと、絶縁ゲートバイポーラトランジスタと、ゲートターンオフサイリスタと、集積ゲート整流サイリスタと、トライアックと、シリコン制御整流器と、バイポーラトランジスタと、よりなるグループから選択される装置を備えることを特徴とする請求項１３に記載のエレベータ電力系統。
【請求項１８】
前記二次側が、複数の巻線を備えることを特徴とする請求項１３に記載のエレベータ電力系統。
【請求項１９】
前記負荷が、エレベータホイストモータであることを特徴とする請求項１３に記載のエレベータ電力系統。
【国際調査報告】
2010502533.tif 000005